(57)【特許請求の範囲】
【請求項１】
基地局装置と、該基地局装置に接続されている無線信号処理装置とを具備し、前記基地局装置と前記無線信号処理装置との間で信号処理に対する機能を分担する無線通信システムであって、
前記基地局装置と前記無線信号処理装置との伝送距離、前記基地局装置における信号を処理する性能、及び前記無線信号処理装置における信号を処理する性能を遅延要素として示すパラメータ値が入力される入力手段と、
入力された前記パラメータ値に基づいて、導入する無線通信方式で行われる信号処理に対する機能の前記基地局装置及び前記無線信号処理装置間における機能配置を特定する特定手段と、
前記特定された機能配置に基づいて、前記基地局装置と前記無線信号処理装置とにおいて前記機能を分担させる制御を行う制御手段と
を備えることを特徴とする無線通信システム。
【請求項２】
請求項１に記載の無線通信システムであって、
前記パラメータ値に基づいて、前記導入する無線通信方式において定められている時間規定を満たす機能配置を特定するために用いる機能配置適用マップを読み出すマップ読出手段を更に備え、
前記特定手段は、
前記入力されたパラメータ値と前記機能配置適用マップとに基づいて、前記機能配置を特定する
ことを特徴とする無線通信システム。
【請求項３】
請求項２に記載の無線通信システムであって、
前記特定手段は、
前記パラメータ値を前記機能配置適用マップにプロットし、プロットされた点を含む領域に対応する機能配置を、前記基地局装置及び前記無線信号処理装置間における機能配置にする
ことを特徴とする無線通信システム。
【請求項４】
基地局装置と、該基地局装置に接続されている無線信号処理装置とを具備し、前記基地局装置と前記無線信号処理装置との間で信号処理に対する機能を分担する無線通信システムにおける無線通信方法であって、
前記基地局装置と前記無線信号処理装置との伝送距離、前記基地局装置における信号を処理する性能、及び前記無線信号処理装置における信号を処理する性能を遅延要素として示すパラメータ値が入力されるステップと、
入力された前記パラメータ値に基づいて、導入する無線通信方式で行われる信号処理に対する機能の前記基地局装置及び前記無線信号処理装置間における機能配置を特定するステップと、
特定された前記機能配置に基づいて、前記基地局装置と前記無線信号処理装置とにおいて前記機能を分担させる制御を行うステップと
を有することを特徴とする無線通信方法。
【発明の詳細な説明】
【技術分野】
【０００１】
本発明は、無線通信システム、及び無線通信方法に関する。
【背景技術】
【０００２】
無線信号処理をアクセスポイント（Access Point：ＡＰ）内、あるいは、ネットワークを介してアクセスポイントに接続された無線信号処理装置で実行する無線通信システムが検討されている（例えば、特許文献１など）。その際、アクセスポイントにおいて用いられる無線通信方式に応じて、アクセスポイントと無線信号処理装置とのいずれか、又は両方において無線信号処理を行うかが決定される。例えば、アクセスポイントにおいて行う無線信号処理に対応するソフトウエアがダウンロードされているか否かを判定し、ダウンロードされている場合にはアクセスポイントにおいて無線信号処理を行い、ダウンロードされていない場合には無線信号処理装置において無線信号処理を行う。
【０００３】
図５は、上述の無線通信システム９の構成例を示す図である。同図に示すように無線通信システム９は、無線端末（不図示）と無線通信を行うアクセスポイント９１と、ネットワーク９２を介してアクセスポイント９１に接続された無線信号処理装置９３とを具備している。アクセスポイント９１は、無線周波数部９１１と、無線信号処理部９１２と、遅延規定判定部９１３とを備えている。無線信号処理装置９３は、無線信号処理部９３１を備えている。
無線周波数部９１１は、アンテナを介して無線端末と無線信号の送受信を行う。無線信号処理部９１２は、無線周波数部９１１が受信した無線信号に対して復調及び復号等の信号処理を行う。また、無線信号処理部９１２は、無線周波数部９１１が送信する無線信号を生成する信号処理を行う。遅延規定判定部９１３は、無線周波数部９１１が受信した無線信号に対する信号処理、及び無線周波数部９１１が送信する無線信号を生成する信号処理を、無線信号処理部９１２において行う際に所定の信号処理時間を越えてしまうか否かを判定する。遅延規定判定部９１３は、無線信号処理部９１２における信号処理時間が所定の信号処理時間を越えてしまう場合には、無線信号に関する信号処理を無線信号処理装置９３に備えられている無線信号処理部９３１にて行うようにする。また、無線信号処理部９１２における信号処理時間が所定の信号処理時間を超えない場合には、無線信号に関する信号処理を無線信号処理部９１２にて行うようにする。
このように、アクセスポイント９１が、アクセスポイント９１又は無線信号処理装置９３のいずれにおいて信号処理を行うかについて、信号処理の負荷（時間）に応じて自律的に判断する。
【先行技術文献】
【特許文献】
【０００４】
【特許文献１】特開２００９−２３１９０３号公報
【発明の概要】
【発明が解決しようとする課題】
【０００５】
ところで、無線通信においては、予め定められた信号送信手順（シーケンス）や、予め定められたフレームフォーマットに基づいて無線信号を送受信することで信号伝送を実現しており、無線通信方式に応じて遵守すべき時間規定がある。例えば、パケット通信、ＴＤＭＡ（Time Division Multiple Access：時分割多元接続）などでは、予め定められた期間内に送信を完了する必要がある。このため、ソフトウエア処理によって無線通信方式を実現する際には、時間規定を守れなければ無線通信システムとして成立しない、あるいは成立したとしても伝送効率が大幅に低下してしまう。例えば、ＩＥＥＥ８０２．１１で規定されている各種無線ＬＡＮにおいては、ＣＳＭＡ（Carrier Sense Multiple Access：搬送波感知多重アクセス）に基づいてパケット送出間隔を実現する際にマイクロ秒オーダ精度の時間規定を満足する必要がある。
【０００６】
無線通信方式の時間規定を満足する観点からは、アクセスポイントが十分な信号処理リソースを備え、アクセスポイントにおいて全ての信号処理を行うことが望ましい。しかし、各種無線ＬＡＮのような高速な無線通信方式における信号処理を全てアクセスポイントにおいて行うには、アクセスポイントに備えるべき信号処理リソースが大きくなるため、アクセスポイントの装置構成が大きくなると共に装置コストが高くなるという問題がある。一方、アクセスポイントにおいて信号処理を行わずに、全ての信号処理を無線信号処理装置において行う場合は、アクセスポイントの構成を簡易化できるものの、アクセスポイントと無線信号処理装置との間の往復伝送遅延を含めて時間規定を満足する必要があるため、遅延時間の低減が課題となる。
【０００７】
図５に示した無線通信システムでは、アクセスポイント９１（基地局装置）がアクセスポイント９１と無線信号処理装置９３とのいずれにおいて信号処理を行うかを自律的に決定している。しかし、各無線通信方式における信号処理に要求される時間規定を遵守するための仕組みを備えていないため、時間規定を守れずに無線通信ができなくなったり、無線通信の伝送効率が低下したりと無線通信が不安定になってしまうという問題がある。
【０００８】
本発明は、上記問題を解決すべくなされたもので、その目的は、基地局装置と無線信号処理装置とが信号処理における機能を分担して行う際に、ソフトウエアによる無線通信方式の提供を可能とし、そのための無線通信を行うことができる無線通信システム、及び無線通信方法を提供することにある。
【課題を解決するための手段】
【０００９】
上記問題を解決するために、本発明は、基地局装置と、該基地局装置に接続されている無線信号処理装置とを具備し、前記基地局装置と前記無線信号処理装置との間で信号処理に対する機能を分担する無線通信システムであって、前記基地局装置と前記無線信号処理装置との伝送距離、前記基地局装置における信号を処理する性能、及び前記無線信号処理装置における信号を処理する性能を遅延要素として示すパラメータ値が入力される入力手段と、入力された前記パラメータ値に基づいて、導入する無線通信方式で行われる信号処理に対する機能の前記基地局装置及び前記無線信号処理装置間における機能配置を特定する特定手段と、前記特定された機能配置に基づいて、前記基地局装置と前記無線信号処理装置とにおいて前記機能を分担させる制御を行う制御手段とを備えることを特徴とする無線通信システムである。
【００１０】
また、本発明は、上記に記載の発明において、前記パラメータ値に基づいて、前記導入する無線通信方式において定められている時間規定を満たす機能配置を特定するために用いる機能配置適用マップを読み出すマップ読出手段を更に備え、前記特定手段は、前記入力されたパラメータ値と前記機能配置適用マップとに基づいて、前記機能配置を特定することを特徴とする。
【００１１】
また、本発明は、上記に記載の発明において、前記特定手段は、前記パラメータ値を前記機能配置適用マップにプロットし、プロットされた点を含む領域に対応する機能配置を、前記基地局装置及び前記無線信号処理装置間における機能配置にすることを特徴とする。
【００１２】
また、本発明は、基地局装置と、該基地局装置に接続されている無線信号処理装置とを具備し、前記基地局装置と前記無線信号処理装置との間で信号処理に対する機能を分担する無線通信システムにおける無線通信方法であって、前記基地局装置と前記無線信号処理装置との伝送距離、前記基地局装置における信号を処理する性能、及び前記無線信号処理装置における信号を処理する性能を遅延要素として示すパラメータ値が入力されるステップと、入力された前記パラメータ値に基づいて、導入する無線通信方式で行われる信号処理に対する機能の前記基地局装置及び前記無線信号処理装置間における機能配置を特定するステップと、特定された前記機能配置に基づいて、前記基地局装置と前記無線信号処理装置とにおいて前記機能を分担させる制御を行うステップとを有することを特徴とする無線通信方法である。
【発明の効果】
【００１３】
この発明によれば、基地局装置及び無線信号処理装置の処理性能、並びに各装置の設置状況に対応した遅延要素に基づいて、導入する無線通信方式における機能の割り当てを自律的に基地局装置と無線信号処理装置との間で行うことができる。
【図面の簡単な説明】
【００１４】
【図１】本発明における一実施形態の無線通信システム１の構成を示す概略ブロック図である。
【図２】同実施形態における時間規定判定マップＭの一例を示す図である。
【図３】同実施形態において時間規定判定マップを用いて機能配置を選択する配置処理のフローチャートである。
【図４】同実施形態における時間規定判定マップＭの具体的な一例を示す図である。
【図５】無線通信システムの構成例を示す図である。
【発明を実施するための形態】
【００１５】
本発明では、基地局装置（アクセスポイント）あるいは無線信号処理装置の信号処理性能や、基地局装置と信号処理装置との間の伝送距離等の遵守すべき時間規定に影響を与える要因（遅延要素）を考慮する。基地局装置及び無線信号処理装置の信号処理性能、無線通信システムの構成や設置状況に応じて時間規定を満たせるように、基地局装置と無線信号処理装置との間において信号処理の機能を最適に配置する。
例えば、遅延要素のそれぞれをパラメータとし、基地局装置及び無線信号処理装置間の機能配置に対して、時間規定を満たせる領域を示したマップを作成する。実際の無線通信システムにおいて信号処理に関する各機能を基地局装置と無線信号処理装置とに配置する組み合わせに対して、基地局装置と無線信号処理装置の設置状況に応じて決まるパラメータ値について、実際の無線通信システムにおける時間規定を満たす機能配置の有無を判定し、有る場合にはその機能配置を特定し、使用すべき配置として選択する。以下、図面を参照して、本発明の実施形態における無線通信システム、及び無線通信方法を説明する。
【００１６】
図１は、本発明における一実施形態の無線通信システム１の構成を示す概略ブロック図である。同図に示すように、無線通信システム１は、基地局装置としてのアクセスポイント１１と、ネットワーク１２を介してアクセスポイント１１に接続されている無線信号処理装置１３とを具備している。アクセスポイント１１は、無線周波数部１１１と、無線信号処理部１１２と、信号処理制御部１１３とを備えている。無線信号処理装置１３は、無線信号処理部１３１と、信号処理制御部１３２とを備えている。なお、図示していないが、アクセスポイント１１は、アンテナを介して無線端末と無線信号の送受信を行う。当該無線端末は、ネットワーク１２を経由して他の端末、サーバ等と通信を行う。他の端末、サーバ等は、ネットワーク１２と無線回線又は有線回線（光ファイバ等）を介して接続される。
【００１７】
無線周波数部１１１は、アンテナを介して無線端末（不図示）と無線信号の送受信を行う。無線信号処理部１１２は、無線周波数部１１１が受信した無線信号に対して復調及び復号などの信号処理を行う。また、無線信号処理部１１２は、無線周波数部１１１が送信する無線信号を生成する信号処理を行う。信号処理制御部１１３は、各無線通信方式に規定されている時間規定を満たすように、アクセスポイント１１と無線信号処理装置１３との間における信号処理の分担、配置を決定する。また、信号処理制御部１１３は、決定した配置に応じて、無線信号処理部１１２に無線信号に対する信号処理を行わせる制御をする。
【００１８】
無線信号処理部１３１は、ネットワーク１２を介してアクセスポイント１１から受信した無線信号に対して復調及び復号などの信号処理を行う。また、無線信号処理部１３１は、アクセスポイント１１が送信する無線信号を生成する信号処理を行う。信号処理制御部１３２は、信号処理制御部１１３と同様に、各無線通信方式に規定されている時間規定を満たすように、アクセスポイント１１と無線信号処理装置１３との間における信号処理の分担、配置を決定する。また、信号処理制御部１３２は、決定した配置に応じて、無線信号処理部１３１に無線信号に対する信号処理を行わせる制御をする。
【００１９】
本実施形態における信号処理制御部１１３及び信号処理制御部１３２が実施する信号処理を分担、配置を決定する配置処理は、時間規定を有する無線通信方式を導入するとき、すなわちアクセスポイント１１の初期配置時や、既に配置されているアクセスポイント１１に無線通信方式をダウンロードするとき、無線通信方式をアクセスポイント１１から削除するときに適用される。
本実施形態における配置処理では、時間規定を有する無線通信方式の導入する際に、当該無線通信方式ごとに作成された時間規定判定マップＭ（ｐ１，ｐ２，…，ｐｎ）を取得する。時間規定判定マップＭには、時間規定に影響を与える要因（遅延要素）をパラメータｐ＝（ｐ１，ｐ２，…，ｐｎ）とし、各遅延要素ｐｉ（ｉ＝１，２，…，ｎ）の組み合わせに対して、時間規定を満たすアクセスポイント１１及び無線信号処理装置１３間の機能配置が定められている。信号処理制御部１１３及び信号処理制御部１３２は、時間規定判定マップＭを用いて、時間規定を満たすアクセスポイント１１と無線信号処理装置１３との間の信号処理の分担、配置を決定する。
【００２０】
ここで、時間規定判定マップＭの作成方法について説明する。
［１］時間規定を有する無線通信方式において、最も厳しい時間規定を抽出し、抽出した時間規定を含むシーケンスを検出する。例えば、ＩＥＥＥ８０２．１１では、ＳＩＦＳ（Short inter-frame space）が最も厳しい時間規定であり、この時間規定を含むシーケンスとして、データフレームを受信してからＡＣＫ（Acknowledgement：肯定応答）フレームを返信するシーケンス、ＲＴＳ（Request To Send：送信要求）フレームを受信してからＣＴＳ（Clear To Send：送信許可）フレームを返信するシーケンス、ＰＳ＿Ｐｏｌｌ（Power Save Multi Poll：省電力ポール）フレームを受信してからＡＣＫフレームを返信するシーケンスなどがある。
［２］無線通信方式における信号処理を機能ごとに分解して、アクセスポイント１１と無線信号処理装置１３との間で可能な機能配置の組み合わせを抽出し、機能配置ごとに、時間規定に影響を与えるパラメータに対して、［１］において検出したシーケンスに対して時間規定を満たせる領域を算出する。ここで、機能配置とは、信号処理の各機能をアクセスポイント１１と無線信号処理装置１３とのいずれかに割り当てることである。
本実施形態における無線通信システム１では、シーケンスに要する処理時間は、アクセスポイント１１における信号処理時間Ｔ１、アクセスポイント１１と無線信号処理装置１３との間の伝送時間Ｔ２、及び無線信号処理装置１３における信号処理時間Ｔ３の和（Ｔ１＋Ｔ２＋Ｔ３）となる。このとき、上記の処理時間に影響を与える要因としては、信号処理時間Ｔ１に関してはアクセスポイント１１において信号を処理する性能（処理性能）［命令数/秒］、伝送時間Ｔ２に関してはアクセスポイント１１と無線信号処理装置１３との間の伝送距離［Ｋｍ］、信号処理時間Ｔ３に関しては無線信号処理装置１３において信号を処理する性能（処理性能）［命令数/秒］である。これらをパラメータとして、アクセスポイント１１及び無線信号処理装置１３における信号処理の機能配置ごとに、各パラメータに対する処理時間を算出し、算出した処理時間と時間規定とを比較し、時間規定を満たせるパラメータの組み合わせ、すなわち、「処理時間」≦「時間規定」となるパラメータの範囲（領域）を定める。
なお、パラメータの範囲の特定は、以下に示す演算量等を用いる方法で算出したり、実測値を用いたりして定める。
【００２１】
例えば、時間規定を含むシーケンスを実現する際に必要な信号処理を、「復調」、「パケット解析」、「ＣＲＣ判定」、「ＡＣＫフレーム生成」、「変調」の機能に分ける場合について説明する。アクセスポイント１１において「復調」、「パケット解析」及び「ＣＲＣ判定」まで機能を実施し、無線信号処理装置１３において「ＡＣＫフレーム生成」及び「変調」の機能を実施する割り当て（配置）を行うとき、処理時間は次のようにして算出される。
まず、信号処理時間Ｔ１は、「復調」から「ＣＲＣ判定」までの各機能に必要な演算量の総和［命令数］を、アクセスポイント１１の処理性能［命令数／秒］で除算して算出する。信号処理時間Ｔ３は、信号処理時間Ｔ１と同様に、「ＡＣＫフレーム生成」及び「変調」の各機能に必要な演算量の総和［命令数］を、無線信号処理装置１３の処理性能［命令数／秒］で除算して算出する。伝送時間Ｔ２はアクセスポイント１１と無線信号処理装置１３との間の往復の伝送遅延時間である。これらから、処理時間は「Ｔ１＋Ｔ２＋Ｔ３」と算出され、算出された処理時間に基づいて、機能配置が時間規定を満たすか否かを判定する。
【００２２】
次に、時間規定判定マップの用い方について説明する。本実施形態では、無線通信システム１の処理性能、設置状況、運用状況に応じて、時間規定に与える無線通信システム１の影響度は異なり、当該影響度を加味する。すなわち、無線通信システム１におけるパラメータの組み合わせを算出、取得する。
無線通信システム１において、当該影響度を評価するためのパラメータとして、アクセスポイント１１の処理性能、伝送距離、及び無線信号処理装置１３の処理性能があり、パラメータ数は３（ｎ＝３）である。これらのパラメータは、アクセスポイント１１及び無線信号処理装置１３のスペック、稼働状況等から利用可能なアクセスポイント１１の処理性能と、無線信号処理装置１３の処理性能とが算出される。また、伝送距離は、アクセスポイント１１を設置する場所と、使用する無線信号処理装置１３が設置されている場所との距離を用いる。
【００２３】
ここで、信号処理の機能の配置例として、配置Ａと配置Ｂとの２種類の配置を仮定する。配置Ａは全ての信号処理の機能を無線信号処理装置１３において行う機能配置（割り当て）であり、配置Ｂは全ての信号処理の機能をアクセスポイント１１において行う機能配置（割り当て）である。
図２は、本実施形態における時間規定判定マップＭの一例を示す図である。３つのパラメータ（ｐ１，ｐ２，ｐ３）は、「ｐ１」がアクセスポイント１１と無線信号処理装置１３との間の伝送距離であり、「ｐ２」がアクセスポイント１１の処理性能であり、「ｐ３」が無線信号処理装置１３の処理性能である。時間規定判定マップＭは、図２（ａ）に示す時間規定判定マップＭ１と、図２（ｂ）に示す時間規定マップＭ２とを有している。時間規定判定マップＭ１は、横軸が伝送距離（ｐ１）であり、縦軸がアクセスポイント１１の処理性能（ｐ２）であり、ｐ１及びｐ２のパラメータ値の組み合わせに対して配置Ａ及び配置Ｂにおいて規定時間を満たすことができる領域を示している。時間規定判定マップＭ２は、縦軸がアクセスポイント１１の処理性能（ｐ２）であり、横軸が無線信号処理装置１３の処理性能（ｐ３）であり、ｐ２及びｐ３のパラメータ値の組み合わせに対して配置Ａ及び配置Ｂにおいて規定時間を満たすことができる領域を示している。
【００２４】
配置Ａが時間規定を満たせる領域は、（マップＭ１における領域Ａ１１∪領域Ａ１３）∩（マップＭ２における領域Ａ２１∪領域Ａ２３）である。これは、マップＭ１の領域Ａ１１∪Ａ１３は、無線信号処理装置１３の処理性能に依存することなく配置Ａで時間規定を満たすことができる領域であることから、無線信号処理装置１３の処理性能（ｐ３）をパラメータとして有するマップＭ２の（領域Ａ２１∪領域Ａ２３）との積集合、すなわち「（領域Ａ１１∪領域Ａ１３）∩（領域Ａ２１∪領域Ａ２３）」が配置Ａで時間規定を満たせる領域となる。同様に、配置Ｂでは、「（領域Ａ１１∪領域Ａ１２）∩（領域Ａ２１∪領域Ａ２２）」が時間規定を満たせる領域となる。なお、閾値Ｔｈｐ１は配置Ａを実現する際における伝送距離の上限値である。閾値Ｔｈｐ２は配置Ｂを実現する際にアクセスポイント１１に要求される処理性能の下限値である。閾値Ｔｈｐ３は配置Ａを実現する際に無線信号処理装置１３に要求される処理性能の下限値である。なお、領域Ａ１４及び領域２４は、配置Ａ又は配置Ｂのいずれにおいても時間規定を満たせない領域である。
このように、時間規定判定マップＭは、導入する無線通信方式において定められている時間規定を満たすか否かを、遅延要素のパラメータ値に基づいて判定する際に用いられる。具体的には、時間規定判定マップＭは、少なくとも２つのパラメータ値を軸として有し、当該パラメータ値の組み合わせが、予め定められた機能配置において時間規定を満たすか否かの判定に用いられる。
【００２５】
図３は、本実施形態において時間規定判定マップを用いて機能配置を選択する配置処理のフローチャートである。
無線信号処理装置１３において、信号処理制御部１３２は、配置処理が開始されると、時間規定判定マップＭを取得する（ステップＳ１０１）。時間規定判定マップの取得は、無線信号処理装置１３に備えられた記憶部が記憶している場合には当該記憶部から読み出し、ネットワーク１２を介して接続されているサーバが配布している場合には当該サーバからダウンロードするようにしてもよい。
信号処理制御部１３２は、遅延要素を示すパラメータ値（ｐ１，ｐ２，…，ｐｎ）を取得する（ステップＳ１０２）。このパラメータ値は、無線通信システム１の設置状況や、アクセスポイント１１に備えられている無線信号処理部１１２が信号を処理する性能、無線信号処理装置１３に備えられている無線信号処理部１３１が信号を処理する性能等に応じて、外部から入力される。
信号処理制御部１３２は、ステップＳ１０２において取得したパラメータ値（座標）を、ステップＳ１０１において取得し時間規定判定マップにプロットし、プロットした点を含む領域に対応する機能配置が存在するか否かを判定し（ステップＳ１０３）、プロットした点を含む領域に対応する機能配置が存在する場合（ステップＳ１０３：ＮＯ）、当該機能配置を選択する（ステップＳ１０４）。一方、時間規定判定マップにパラメータ値をプロットした結果、対応する機能配置が存在しない場合（ステップＳ１０３：ＹＥＳ）、信号処理制御部１３２は、現在判定している無線通信方式を対応できないと判定し、機能配置を選択しない（ステップＳ１０５）。
【００２６】
具体的には、図２に示した時間規定判定マップＭを用い得る場合、時間規定判定マップＭ１から得られる領域Ｍ１（ｐ１，ｐ２）に対応する機能配置と、時間規定判定マップＭ２から得られる領域Ｍ２（ｐ２，ｐ３）に対応する機能配置とに対して、領域の積集合を求めることで機能配置を選択する。例えば、Ｍ１（ｐ１，ｐ２）⊂領域Ａ１３、かつ、Ｍ２（ｐ２，ｐ３）⊂領域Ａ２３であるとき、各出力がＭ１（ｐ１，ｐ２）＝Ｍ２（ｐ２，ｐ３）＝領域ｆａであれば、Ｍ１（ｐ１，ｐ２）∩Ｍ２（ｐ２，ｐ３）より、信号処理制御部１３２は配置Ａを機能配置として選択する。そして、信号処理制御部１３２は、無線信号処理装置１３にて行う信号処理を無線信号処理部１３１に行わせるために必要なソフトウエアをサーバ等（不図示）からダウンロードして、信号処理の機能を無線信号処理部１３１に配置させる。
一方、Ｍ１（ｐ１，ｐ２）⊂領域Ａ１３、かつ、Ｍ２（ｐ２，ｐ３）⊂領域Ａ２４であるとき、Ｍ１（ｐ１，ｐ２）＝領域ｆａ、Ｍ２（ｐ２，ｐ３）＝φであれば、Ｍ１（ｐ１，ｐ２）∩Ｍ２（ｐ２，ｐ３）＝φであるので、選択すべき機能配置はなく、本無線通信方式のダウンロードを行わない。
【００２７】
ここで、図３のステップＳ１０３における「∩Ｍｉ」の演算は、次式（１）で示される演算である。
【００２８】
【数１】
0005667035.tif 000002
【００２９】
以下に、時間規定判定マップＭの具体的な例を示す。
ここでは、対象とするシーケンスを、ＩＥＥＥ８０２．１１ａにおけるデータフレームを受信してからＡＣＫ（Acknowledgement：肯定応答）フレームを返信するシーケンスとし、アクセスポイント１１の処理性能を５０００［ＭＩＰＳ］、データフレームのペイロード長を１５００［Ｂｙｔｅ］、データ復調の演算量を１１２００００［ＭＩＰＳ］、ＡＣＫフレーム変調の演算量を６０００［ＭＩＰＳ］とする条件で時間規定判定マップＭを作成した。
このシーケンスを実現するために必要な信号処理は、「復調」、「パケット解析」、「ＣＲＣ判定」、「ＡＣＫフレーム生成」、「変調」の各機能に分解される。また、機能配置を選択する際のパラメータは、アクセスポイント１１の処理性能と、アクセスポイント１１と無線信号処理装置１３との間の伝送距離としている。候補としての機能配置は、信号処理における全ての機能をアクセスポイント１１で実施する配置Ａと、信号処理における全ての機能を無線信号処理装置１３で実施する配置Ｂとである。この配置Ａと配置Ｂとそれぞれに対して、算出した処理時間を時間規定と比較することで、データフレームを受信してからＡＣＫフレームを返信するシーケンスに対する時間規定を満たす領域（範囲）を算出する。
【００３０】
図４は、本実施形態における時間規定判定マップＭの具体的な一例を示す図である。同図に示すように、配置Ａの場合はアクセスポイント１１の処理性能として４６７０［ＭＩＰＳ］が必要であることがわかる。また、配置Ｂの場合は伝送距離として１．５［Ｋｍ］以内が必要であることがわかる。したがって、これらのいずれかを満たす場合には、無線通信方式（ＩＥＥＥ８０２．１１ａ）に対応する機能配置を行うことができ、無線通信システム１は安定して無線通信を行うことができる。
【００３１】
無線信号処理装置１３に備えられている信号処理制御部１３２は、アクセスポイント１１に備えられている信号処理制御部１１３と同様の処理を行う。なお、信号処理制御部１１３及び信号処理制御部１３２のいずれか一方が配置処理を行い、その処理結果をいずれか他方に通知するようにしてもよい。
【００３２】
このように、無線通信システム１において、信号処理制御部１１３及び信号処理制御部１３２は、時間規定判定マップＭと、自システムにおける遅延要素を示す各パラメータとに基づいて、適用する無線通信システム１における時間規定を満たす機能配置を算出する。また、信号処理制御部１１３及び信号処理制御部１３２は、算出した機能配置に対応するソフトウエアをサーバなどからダウンロードして無線信号処理部１１２及び無線信号処理部１３１に適用することで、アクセスポイント１１と無線信号処理装置１３とに対して、信号処理を行う際に必要となる各機能を割り当てる。
これにより、無線通信システム１は、無線通信方式において定められている時間規定を遵守することができ、安定して無線通信を行うことができる。
【００３３】
以上、具体的な例を用いて本発明に係る実施形態を説明したが、上述の実施形態におけるシーケンスを実現する信号処理は、一例であり、特定の処理に依存するものではない。
また、図３において示したステップＳ１０１とステップＳ１０２とを実行する順序は逆であってもよい。
また、図３を用いて、無線信号処理装置１３における配置処理について説明したが、アクセスポイント１１において配置処理を行うようにしてもよい。あるいは、アクセスポイント１１又は無線信号処理装置１３のいずれか一方において配置処理を行い、決定した機能配置を他方の装置に通知するようにしてもよい。
また、上述の実施形態において、アクセスポイント１１と無線信号処理装置１３とのいずれか一方に、信号処理に係る全ての機能を割り当てる機能配置を例にして説明したが、これに限ることなく、双方の装置間で信号処理に係る機能を分担するようにしてもよい。
【００３４】
なお、本発明に記載の機能配置適用マップは、実施形態における時間規定判定マップに対応する。
【００３５】
なお、本発明におけるアクセスポイント及び無線信号処理装置の機能を実現するためのプログラムをコンピュータ読み取り可能な記録媒体に記録して、この記録媒体に記録されたプログラムをコンピュータシステムに読み込ませ、実行することにより配置処理を行ってもよい。なお、ここでいう「コンピュータシステム」とは、ＯＳや周辺機器等のハードウェアを含むものとする。また、「コンピュータシステム」は、ホームページ提供環境（あるいは表示環境）を備えたＷＷＷシステムも含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００３６】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムに既に記録されているプログラムとの組み合わせで実現できるもの、いわゆる差分ファイル（差分プログラム）であっても良い。
【符号の説明】
【００３７】
１，９…無線通信システム
１１，９１…アクセスポイント（基地局装置）
１２，９２…ネットワーク
１３，９３…無線信号処理装置
１１１，９１１…無線周波数部
１１２，９１２，１３１，９３１…無線信号処理部
１１３，１３２…信号処理制御部（入力手段、特定手段、制御手段、マップ読出手段、）
９１３…遅延規定判定部
【図１】
0005667035.tif 000003
【図２】
0005667035.tif 000004
【図３】
0005667035.tif 000005
【図４】
0005667035.tif 000006
【図５】
0005667035.tif 000007